(57)【要約】【課題】重送による記録紙の無駄と装置の損傷とを防止する画像形成システムの提供を課題とする。【解決手段】画像形成システム１０１は、記録紙の重送を検知する重送検知部１５、２５、及び重送に応じて搬送経路を切替える第１経路切替部２６ａと第２経路切替部２６ｂとを備える。そして、画像形成システム１０１は、重送時に後処理を行わない搬送経路に切替える構成とした。また、重送検知時には、その重送紙に応じて再印刷する構成とした。【選択図】図１
2006021868.tif 000002
【特許請求の範囲】
【請求項１】
画像データに基づいて記録媒体に画像形成処理を行う画像形成装置と、前記画像形成装置から排出される画像形成後の記録媒体に後処理を施して出力する後処理装置とを備え、
前記画像形成処理と前記後処理とを行うために前記記録媒体を搬送して予め定められた排出先へ排出する搬送手段と、
前記記録媒体の搬送時に重送状態を検知する重送検知手段と、
前記重送状態に応じて前記画像形成後の記録媒体の搬送経路を前記後処理を行わない方向へ変更するための搬送経路切替手段と、
を有することを特徴とする画像形成システム。
【請求項２】
前記後処理は、前記画像形成後の記録媒体に予め定められた枚数ごとに所定の媒体を挿入する処理を含み、
前記重送検知手段は、前記挿入される媒体の重送状態を検知し、
前記搬送経路切替手段は、前記重送状態に応じて前記挿入される媒体の搬送経路を前記後処理を行わない方向へ変更することを特徴とする請求項１記載の画像形成システム。
【請求項３】
前記後処理は、ステイプル処理、製本処理、糊付け処理、パンチ処理、折り処理、断裁処理、ソート処理のいずれか若しくはこれらの組合わせを含むことを特徴とする請求項１記載の画像形成システム。
【請求項４】
前記重送状態に応じて前記画像形成後の記録媒体の後処理を行わないように制御する後処理制御手段を有することを特徴とする請求項１〜３いずれか一項に記載の画像形成システム。
【請求項５】
前記重送検知手段により検知された重送ページの画像形成を再度行う再印刷手段を有することを特徴とする請求項１〜４いずれか一項に記載の画像形成システム。
【発明の詳細な説明】
【技術分野】
【０００１】
本発明は、画像形成システムに関する。
【背景技術】
【０００２】
記録紙に画像を形成する複写機又はプリンタなどの画像形成装置と画像形成された記録紙にパンチ穴、ステイプル、折り処理、ソートなどの後処理を施す後処理装置とを備える画像形成システムでは、記録紙の給紙時や搬送中において何らかの原因により重送状態に陥ることがある。ここで、重送状態とは、用紙を一枚ごとに分離できず、２枚以上の用紙が装置内に搬送されることである。
上記重送状態で記録紙が搬送されて後処理が行われた場合は、重送された記録紙は仕様外の厚さのとなることもあり、不具合の原因となる。
そして、その重送に関する問題を解決するために、例えば、重送を検知すると重送紙用のトレイに搬送され、カッターにて用紙の一部を切り取り、再利用できないようにする技術や（特許文献１参照）、重送した紙に対して、無効処理部でパンチ穴を開け、再使用できなくする技術（特許文献２参照）などが公知であった。
【特許文献１】特開平７−２２３７５７号公報
【特許文献２】特開平９−２５９２２７号公報
【発明の開示】
【発明が解決しようとする課題】
【０００３】
たしかに、上記技術により、重送した記録紙を再使用できなくして重送を防止するという点では、有効な技術である。しかし、重送により厚さなどが規格外となっている記録紙が後処理装置に送られることにより発生する不具合を防止するという点では、まだ十分ではなかった。
また、部ごとに後処理を行うステイプルなどの後処理の場合は、重送によりその部全体が無駄となった。そして、重送された部分を後からユーザがチェックして再印刷を行うなどの手間もあり、不経済であった。
【０００４】
そこで、本発明は、重送による記録紙の無駄と再印刷の手間と装置の損傷とを防止する画像形成システムの提供を課題とするものである。
【課題を解決するための手段】
【０００５】
上記課題を解決するために、請求項１記載の発明は、画像データに基づいて記録媒体に画像形成処理を行う画像形成装置と、前記画像形成装置から排出される画像形成後の記録媒体に後処理を施して出力する後処理装置とを備え、前記画像形成処理と前記後処理とを行うために前記記録媒体を搬送して予め定められた排出先へ排出する搬送手段と、前記記録媒体の搬送時に重送状態を検知する重送検知手段と、前記重送状態に応じて前記画像形成後の記録媒体の搬送経路を前記後処理を行わない方向へ変更するための搬送経路切替手段と、を有することを特徴とする。
【０００６】
請求項２記載の発明は、請求項１記載の発明において、前記後処理は、前記画像形成後の記録媒体に予め定められた枚数ごとに所定の媒体を挿入する処理を含み、前記重送検知手段は、前記挿入される媒体の重送状態を検知し、前記搬送経路切替手段は、前記重送状態に応じて前記挿入される媒体の搬送経路を前記後処理を行わない方向へ変更することを特徴とする。
【０００７】
請求項３記載の発明は、請求項１記載の発明において、前記後処理は、ステイプル処理、製本処理、糊付け処理、パンチ処理、折り処理、断裁処理、ソート処理のいずれか若しくはこれらの組合わせを含むことを特徴とする。
【０００８】
請求項４記載の発明は、請求項１〜３いずれか一項に記載の発明において、前記重送状態に応じて前記画像形成後の記録媒体の後処理を行わないように制御する後処理制御手段を有することを特徴とする。
【０００９】
請求項５記載の発明は、請求項１〜４いずれか一項に記載の発明において、前記重送検知手段により検知された重送ページの画像形成を再度行う再印刷手段を有することを特徴とする。
【発明の効果】
【００１０】
請求項１記載の発明によれば、重送した記録紙は後処理装置に送られないため、重送による紙詰まりを予め防止できる。また、部単位に行う綴り処理などにおいては、重送により余分な記録紙が紛れ込んで処理されることを防ぐことができ、資源を有効に活用することができる。
【００１１】
請求項２記載の発明によれば、予め定められた枚数であり、例えば、部ごと又は章ごとなどの区切りに挿入する所定の用紙の重送を検知して排出することで、紙詰まりや余分に挿入されて処理されることを防ぐことができる。
【００１２】
請求項３記載の発明によれば、ステイプル処理、製本処理、糊付け処理、パンチ処理、折り処理、断裁処理、ソート処理のいずれか、若しくは組合わせた後処理においても、重送による紙詰まりを防止することができる。
【００１３】
請求項４記載の発明によれば、重送により規格以上の厚さの記録紙が後処理されることで起こる装置の損傷を予め防止することができる。
【００１４】
請求項５記載の発明によれば、重送された場合に再印刷することで、ユーザが後から確認して再度印刷する手間を省く事ができる。また、部ごとに印刷する場合は、重送されたページのみが再印刷されるため、他を無駄にすることがない。
【発明を実施するための最良の形態】
【００１５】
［第１の実施の形態］
図面を参照して、本発明に係る画像形成システム１０１について詳細に説明する。ただし、本発明の範囲は図示例に限定されない。
【００１６】
図１に本発明の画像形成システムとしての画像形成システム１０１の全体構成を示す。画像形成システム１０１は、例えば、通信ネットワーク４によりＰＣ（Personal  Computer）などが接続してなるＬＡＮ（Local  Area  Network）などと通信可能に接続し、記録用紙にスキャナによる複写やデータ通信によるプリントなどの機能を有する画像形成装置１と、通信ケーブル３により画像形成装置１と接続し、画像形成された記録紙にパンチ、折り処理、ステープルなどの各種後処理を施す後処理装置２とからなるネットワーク複合機である。
なお、上述した画像形成システム１０１は、画像形成装置１と後処理装置２との機能を連携して使用する構成であるが、単体でそれぞれの機能を使用するものであってよい。
【００１７】
画像形成装置１は、ＣＰＵ１０、表示部１１、操作部１２、ＲＯＭ１３、ＲＡＭ１４、重送検知部１５、画像読み取り部１６、画像形成部１７、及び外部Ｉ／Ｆ１８を備え、バス１９を介して互いに電気的に接続されてなる。
【００１８】
ＣＰＵ１０は、図示しない内部ＲＡＭ（Random  Access  Memory）を備え、前記内部ＲＡＭ又は後述するＲＡＭ１４の所定領域を作業領域として後述するＲＯＭ１３に格納されている各種制御プログラムに従い、各部に制御信号を送って画像形成システム１０１の動作全般を統括制御する。
【００１９】
表示部１１は、ＬＣＤ（Liquid  Crystal  Display）、ＣＲＴ（Cathode  Ray  Tube）などのディスプレイからなり、ＣＰＵ１０から入力される表示データに基づいて表示画面に画像データを表示する。
【００２０】
操作部１２は、透明電極が格子状に配置された感圧式（抵抗膜圧式）のタッチパネル等であり、上述した表示部１１の表示画面上に覆われて設置される。操作部１２は、タッチパネルにより入力される操作信号をＣＰＵ１０に出力する。なお、上記透明電極は、視認性の観点から光の透過率が高いものが望ましい。
【００２１】
ＲＯＭ１３は、不揮発性メモリ又は更新するために書き換え可能なフラッシュメモリ（Flash  Read-Only  Memory）であり、ＣＰＵ１０に対応する初期起動プログラム、各部を制御するための基本動作プログラム、各種処理を行うための処理プログラムなどを格納する記憶領域である。
【００２２】
ＲＡＭ１４は、例えばＳＤＲＡＭ（Synchronous  Dynamic  Random  Access  Memory）などで構成される揮発性メモリであり、ＣＰＵ１０が各種処理を実行する際に各種データを展開するメモリ領域を形成する。
【００２３】
重送検知部１５は、記録紙の搬送経路において、その記録紙に光を照射する発光体とその透過した光を測定する受光部とからなり（いずれも図示しない）、受光量により記録紙の厚さを計測することで重送を検知し、検知信号をＣＰＵ１０へ出力する。なお、重送検知部１５は、上記に限定するものではなく、例えば記録紙が光を容易に透過しない物質や光により変質する感光フィルムなどであるため、搬出用のローラーの位置のずれから記録紙の厚さを計測することで重送を検知する構成であってよい。
【００２４】
画像読み取り部１６は、原稿を載置する透明なコンタクトガラスの下部にスキャナを備えて構成され、ＡＤＦ（自動紙送り機構）からコンタクトガラスに送られた原稿をスキャナにより読み取ってその画像データを取得し、ＣＰＵ１０に出力する。スキャナでは、光源、レンズ、ＣＣＤ（Charge  Coupled  Device）等により構成され、光源から原稿へ照明走査した光の反射光をレンズにより結像してＣＣＤにより光電変換して画像データを得る。
【００２５】
画像形成部１７は、露光部、感光ドラム、現像部からなる画像書込部１７ａと書き込まれた画像を記録紙に定着させる定着部１７ｂとからなり、ＣＰＵ１０からの印刷指示と印刷データに基づいて、露光部により感光ドラム表面に静電潜像を形成する。そして、画像形成部１７は、現像部によりトナーを付着させて感光ドラム表面にトナー像を形成し、このトナー像を記録紙に転写して定着部１７ｂにより定着後、出力する。
本実施の形態では、電子写真方式を適用した例を説明するが、これに限らず、インクジェット方式、熱昇華方式等、他のプリント方式を適用することとしても良い。
【００２６】
外部Ｉ／Ｆ１８は、シリアル通信により外部機器とデータ通信可能な通信モジュールや、ネットワークインタフェイスカード（以下、ＮＩＣ；Network  Interface  Card）、モデム等の通信インターフェイスであり、ＣＰＵ１０からの指示により後処理装置２や通信ネットワーク４に接続するＬＡＮ上のＰＣと間でデータの送受信する。
【００２７】
後処理装置２は、ＣＰＵ２０、ＲＯＭ２１、ＲＡＭ２２、入力部２３、出力部２４、重送検知部２５、第１経路切替部２６ａ、第２経路切替部２６ｂ、及び後処理部２７を備え、バス２９を介して互いに電気的に接続されてなる。
【００２８】
ＣＰＵ２０は、図示しない内部ＲＡＭを備え、前記内部ＲＡＭ又は後述するＲＡＭ２２の所定領域を作業領域として後述するＲＯＭ２１に格納されている各種制御プログラムや画像形成装置１からの制御指示に従い、各部に制御信号を送って後処理装置２の動作全般を統括制御する。
【００２９】
ＲＯＭ２１は、不揮発性メモリ又は更新するために書き換え可能なフラッシュメモリであり、ＣＰＵ２０に対応する初期起動プログラム、各部を制御するための基本動作プログラム、各種処理を行うための処理プログラムなどを格納する記憶領域である。
【００３０】
ＲＡＭ２２は、例えばＳＤＲＡＭなどで構成される揮発メモリであり、ＣＰＵ２０が各種処理を実行する際に各種データを展開するメモリ領域を形成する。
【００３１】
入力部２３は、主に駆動ローラーと従動ローラーとからなる搬送ローラー対を複数配置してなり、記録紙の受付から後処理部２７までの搬送路である。入力部２３は、画像形成装置１から排出される画像形成後の記録紙に対して、部ごと又は章ごとなど予め定められた枚数ごとに所定の用紙を挿入する後処理を行うための記録紙を、後述する後処理部２７へ送る。
【００３２】
出力部２４は、搬送ローラ対を複数配置してなり、後処理後又は後処理を行わない記録紙を所定のトレイに排出する搬送路である。
【００３３】
重送検知部２５は、上述した所定の用紙を挿入する後処理を行うための挿入用紙の搬送経路上にあり、照射して透過する光の受光量又は搬送ローラーの位置ずれから厚さを計測して重送を検知し、検知信号をＣＰＵ２０へ出力する。
【００３４】
第１経路切替部２６ａ、２６ｂは、前述した入力部２３の中途にある記録紙の位置を検出する検出センサと搬送経路を搬送ローラーを位置を変えることで選択的に切り替える切替ゲート（いずれも図示しない）からなり、ＣＰＵ２０からの指示により、搬送される記録紙を後述する所定の搬送路へ送出する。
【００３５】
後処理部２７は、画像形成された複数の記録媒体を束にして綴じる、ステイプル（綴じ）処理、小冊子（製本）処理、糊付け処理などの綴じ処理、パンチ処理、折り処理、断裁処理、ソート処理などを実行してから出力する。なお、後処理部２７は、上記処理を複数組み合わせて行ってよい。
【００３６】
外部Ｉ／Ｆ２８は、シリアル通信により外部機器とデータ通信可能な通信モジュールであり、画像形成装置１との間でデータの送受信を行う。
【００３７】
次に、画像形成システム１０１における搬送手段であり、記録紙を給紙して画像形成ののち後処理して出力するまでの搬送路ｒ１〜ｒ８の構成を、記録紙の搬送経路を示す図２を参照して説明する。
【００３８】
画像形成装置１は、画像形成される記録紙を所定のサイズにより区別して格納する給紙ユニット３１ａ、給紙ユニット３１ｂと、上述した給紙ユニットから記録紙を取り込むピックアップローラー、搬送ローラー、及び重送検知部１５からなり、記録紙を画像形成部１７へ搬送する搬送路ｒ１と、画像書込部１７ａ及び定着部１７ｂからなる画像形成部１７と、搬送ローラにより定着部１７ｂで定着された記録紙を第１経路切替部２６ａまで搬送する搬送路ｒ２とが構成されてなる。
画像形成装置１において記録紙は、搬送路ｒ１から画像形成部１７に搬送されて画像形成処理の後、搬送路ｒ２により第１経路切替部２６ａに搬送される。
【００３９】
後処理装置２は、前述した挿入用紙を取り込むペーパインサータ３３と、その挿入用紙を重送検知部２５を通して搬送路ｒ２へ搬送する搬送路ｒ８と、搬送路ｒ２から搬送される記録紙をサブトレイ３２ｂに搬送する搬送路ｒ４への出力、又は後処理部２７に搬送する搬送路ｒ５への出力を選択して行う第１経路切替部２６ａと、搬送路ｒ５から搬送される記録紙にパンチ処理や折り処理を行うパンチ部２７ａ・折り部２７ｂに搬送する搬送路ｒ７又はステープル処理を行うステープル部２７ｃに搬送する搬送路ｒ６へ選択出力する第２経路切替部２６ｂと、ステープル部２７ｃから記録紙が出力されるトレイ３２ａとが構成されてなる。
【００４０】
後処理装置２において記録紙は、第１経路切替部２６ａによりサブトレイ３２ｂへ出力される場合と、第２経路切替部２６ｂによりパンチ部２７ａ、ステープル部２７ｃを通ってトレイ３２ａに出力される場合と、ステープル部２７ｃを通ってトレイ３２ａに出力される場合とがある。
【００４１】
なお、パンチ部２７ａ、２７ｂは、折り部、パンチ部としたが、断裁処理を行う構成でもよく、とくにこれに限定するものではない。同様に、ステープル部２７ｃは、ステイープル部としたが、小冊子（製本）処理、糊付け処理などの綴じ処理を行ってよい。
一般的には、パンチ部２７ａ、２７ｂには一枚の記録紙ごとに行う後処理を配置し、ステープル部２７ｃには綴じ処理を配置する構成が望ましい。
【００４２】
画像形成システム１０１では、上述した各搬送経路上に位置検出センサが設けられ、記録紙の搬送位置を管理する。また、画像形成システム１０１では、搬送される記録紙ごとに、転写される画像データ、行われる後処理に関する情報、排出先トレイ情報、用紙の種類、及び重送検知に関する情報を管理する。そして、記録紙が搬送された各部は、その情報に応じた各処理を施す。
なお、ここで管理される各情報は、ＲＡＭ１４又はＲＡＭ２２に格納され、全ての処理が終了されて消去されるが、例えば、過去の履歴として保存される構成であってもよい。
【００４３】
次に、画像形成システム１０１における記録紙の搬送路ｒ２までの搬送処理について、図３（ａ）に示すフローチャートを参照して説明する。ここで説明する処理は、ＣＰＵ１０が行うステップＳ１１〜ステップＳ１４の各処理からなる。
【００４４】
画像形成の指示により、給紙ユニット３１ａ、３１ｂから記録紙を給紙し、画像形成部１７へ搬送する（ステップＳ１１）。また、ステップＳ１１において、所定の用紙を挿入する後処理が選択されている場合、同時にペーパインサータ３３から挿入用紙が給紙される。
【００４５】
ステップＳ１１の後、重送検知手段としてのステップＳ１２により重送検知部１５、重送検知部２５において重送検知処理が行われ、画像形成部１７で画像形成に伴う転写処理（ステップＳ１３）、定着処理（ステップＳ１４）が行われ、搬送路ｒ２に記録紙が出力されて、終了する。
なお、ステップＳ１３、ステップＳ１４における転写・定着処理は、重送が検知された場合には行われず、そのまま搬送されて搬送路ｒ２に出力されるものであり、トナーを節約する構成であってよい。
【００４６】
ここで、ステップＳ１２における重送検知処理について、図３（ｂ）に示すフローチャートを参照して説明する。
まず、重送検知部１５又は重送検知部２５では、記録紙が通過するときに重送検知が行われ（ステップＳ２１）、重送が検知されない場合（ステップＳ２２：ＮＯ）、そのまま終了する。
ステップＳ２２において、重送が検知された場合（ステップＳ２２：ＹＥＳ）、搬送されている記録紙が重送されていることを示す重送紙情報が付加され（ステップＳ２３）、終了する。
【００４７】
次に、搬送経路切替手段としての第１経路切替部２６ａによる切替処理について、図４（ａ）に示すフローチャートを参照して説明する。ここで説明する各処理は、ＣＰＵ１０が行うステップＳ３１〜ステップＳ３６の各処理からなる。
【００４８】
先ず、画像形成システム１０１では、搬送路ｒ２から記録紙が搬送されることにより、その記録紙の出力先トレイがサブトレイ３２ｂであるかを確認する（ステップＳ３１）。
【００４９】
ステップＳ３１の後、記録紙の出力先がサブトレイ３２ｂである場合（ステップＳ３２：ＹＥＳ）、切替ゲートがサブトレイ３２ｂへの搬送路である搬送路ｒ４に切替えられ（ステップＳ３３）、終了する。
【００５０】
ステップＳ３２において、記録紙の出力先がサブトレイ３２ｂでない場合（ステップＳ３２：ＮＯ）、記録紙の重送検知情報が参照され（ステップＳ３４）、重送が検知されて搬送されている記録紙であるかが判定される（ステップＳ３５）。
【００５１】
ステップＳ３５において、重送が検知された記録紙と判定された場合（ステップＳ３５：ＹＥＳ）、切替ゲートが搬送路ｒ４方向への搬出に切替えられ（ステップＳ３３）、終了する。ステップＳ３５において、重送が検知されていない記録紙であると判定された場合（ステップＳ３５：ＮＯ）、切替ゲートが後処理部２７からトレイ３２ａへ搬出する搬送路ｒ５方向に切替えられ（ステップＳ３６）、終了する。
【００５２】
以上のように、画像形成システム１０１は、重送検知部１５又は重送検知部２５により搬送される記録紙ごとに重送を検知し、その結果に応じて記録紙の排出方向を後処理部２７からトレイ３２ａ、又はサブトレイ３２ｂへと第１経路切替部２６ａで切替える。
【００５３】
したがって、重送が検知された記録紙を後処理部を通すことなく出力することができ、重送による後処理部における紙詰まりなどの不具合を未然に防止することができる。また、重送された再使用可能な記録紙が後処理により再利用できなくなることを防止し、重送によるコストを抑えることができる。
【００５４】
［第２の実施の形態］
次に、第２の実施の形態に係る画像形成システム１０１について説明する。本発明の第２の実施の形態における画像形成システム１０１は第１の実施の形態における画像形成システム１０１とほぼ同様であるので、異なる部分である、第２経路切替部２６ｂによる切替処理について図４（ｂ）に示すフローチャートを参照して説明する。なお、ここで説明する各処理は、ＣＰＵ１０が行うステップＳ４１〜ステップＳ４６の各処理からなる。
【００５５】
先ず、画像形成システム１０１では、搬送路ｒ５から記録紙が搬送されてくることにより、その記録紙の搬送先が搬送路ｒ６又は搬送路ｒ７であるかを確認する（ステップＳ４１）。
【００５６】
ステップＳ４１の後、記録紙の搬送先が搬送路ｒ６であると判定された場合（ステップＳ４２：ＮＯ）、切替ゲートがステープル部２７ｃからトレイ３２ａへ出力する搬送路である搬送路ｒ６に切替えられ（ステップＳ４３）、終了する。
【００５７】
ステップＳ４２において、記録紙の搬送先が搬送路ｒ７であると判定された場合（ステップＳ４２：ＹＥＳ）、記録紙の重送検知情報が参照され（ステップＳ４４）、重送が検知されて搬送されている記録紙であるかが判定される（ステップＳ４５）。
【００５８】
ステップＳ４５において、重送が検知された記録紙と判定された場合（ステップＳ４５：ＹＥＳ）、切替ゲートが搬送路ｒ６方向への搬送に切替えられ（ステップＳ４３）、終了する。ステップＳ４５において、重送が検知されていない記録紙であると判定された場合（ステップＳ４５：ＮＯ）、切替ゲートが搬送路ｒ７への搬送に切替えられ（ステップＳ４６）、終了する。
【００５９】
以上のように、画像形成システム１０１は、記録紙の重送に応じてその搬送方向を搬送路ｒ６又は搬送路ｒ７へ切替えることで、より紙詰まりをおこしやすい複数の後処理を行う搬送経路を回避させることができ、それによる処理の停止を防止することができる。
【００６０】
［第３の実施の形態］
次に、第３の実施の形態に係る画像形成システム１０１について説明する。本発明の第３の実施の形態における画像形成システム１０１は第１、２の実施の形態における画像形成システム１０１とほぼ同様であるので、異なる部分である、記録紙が後処理部２７に送られてきた時における処理について、図５（ａ）に示すフローチャートを参照して説明する。なお、ここで説明する各処理は、ＣＰＵ１０が行うステップＳ５１〜ステップＳ５４の各処理からなる。
【００６１】
先ず、画像形成システム１０１では、記録紙が後処理部２７に搬送されることで、その記録紙の重送検知情報を参照し（ステップＳ５１）、重送検知紙であるかを判定する（ステップＳ５２）。
【００６２】
ステップＳ５２において、重送検知紙であると判定された場合（ステップＳ５２：ＹＥＳ）、後処理が行われることなく排出され（ステップＳ５３）、終了する。
【００６３】
ステップＳ５２において、重送検知紙でないと判定された場合（ステップＳ５２：ＮＯ）、行われる後処理に関する情報が参照されて、それに応じた後処理が施されて排出され（ステップＳ５４）、終了する。
【００６４】
以上のように、画像形成システム１０１は、記録紙の重送に応じて後処理部２７で後処理を行わないようにする。したがって、例えば一部ごとに後処理される場合には、重送された記録紙が正常に搬送された記録紙に紛れて後処理され、一部すべてが無駄になること防止することができる。また、重送により規格以上の厚さとなった記録紙への後処理による不具合を未然に防止することができる。
【００６５】
［第４の実施の形態］
次に、第４の実施の形態に係る画像形成システム１０１について説明する。本発明の第４の実施の形態における画像形成システム１０１は第１〜３の実施の形態における画像形成システム１０１とほぼ同様であるので、異なる部分である再印刷手段としての重送時における再印刷処理について図５（ｂ）に示すフローチャートを参照して説明する。なお、ここで説明する各処理は、ＣＰＵ１０が行うステップＳ６１〜ステップＳ６６の各処理からなる。
【００６６】
先ず、画像形成システム１０１では、予め格納されている情報の参照、又はユーザによる操作から、重送時において再印刷を行うかを設定する（ステップＳ６１）。
【００６７】
ステップＳ６１の後、画像データの入力と各種印刷設定が行われ、それに基づく画像形成処理と（ステップＳ６２）、後処理とが行われ（ステップＳ６３）、その画像形成処理又は後処理において記録紙の重送があったか否かが重送検知に関する情報を参照して判定される（ステップＳ６４）。
【００６８】
ステップＳ６４において、重送が検知されていないと判定された場合（ステップＳ６４：ＮＯ）、そのまま終了する。ステップＳ６４において、重送が検知されたと判定された場合（ステップＳ６４：ＹＥＳ）、再印刷設定が確認され（ステップＳ６５）、再印刷を行うか否かが判定される（ステップＳ６６）。
【００６９】
ステップＳ６６において、再印刷を行うと判定された場合（ステップＳ６６：ＹＥＳ）、重送された記録紙に関する画像データに対して再印刷が指示されて（ステップＳ６７）、画像形成処理（ステップＳ６２）へ戻り、画像形成処理が再び行われる。ステップＳ６６において、再印刷を行わないと判定された場合（ステップＳ６６：ＮＯ）、そのまま終了する。
【００７０】
なお、ステップＳ６７においては、例えば、再印刷される画像データに対して行われる後処理が部単位で行われる綴じ処理などの場合は、後処理に関する情報が後処理を施さないように変更されて、「再印刷した用紙はマニュアルモードにてフィニッシングして下さい」との個別に後処理を行うように促すメッセージを表示する。
【００７１】
以上のように、画像形成システム１０１は、予め設定することで記録紙の重送があった場合、印刷後に再印刷する。したがって、画像形成システム１０１は、処理を止めることなく重送処理を行うことができる。また、画像形成システム１０１は、部単位で印刷して後処理を行う場合においても、重送部分のみを再印刷することでその部の全てを無駄にすることがない。
【００７２】
［変形例］
次に、上述した第４の実施の形態に係る画像形成システム１０１の変形例について説明する。ここで述べる変形例は、第４の実施の形態とほぼ同様であるので、異なる部分である１ページごとに重送を判定して再印刷を行う処理について図６に示すフローチャートを参照して説明する。なお、ここで説明する各処理は、ＣＰＵ１０が行うステップＳ７１〜ステップＳ７８の各処理からなる。
【００７３】
先ず、画像形成システム１０１では、予め格納されている情報を参照する、又はユーザによる操作から、重送時において再印刷を行うか否かを設定する（ステップＳ７１）。
【００７４】
ステップＳ７１の後、画像データの入力と各種印刷設定が行われ、それに基づく画像形成処理が各部ごとに１ページづつ行われ（ステップＳ７２）、後処理装置へ搬送されて（ステップＳ７３）、その記録紙が重送であったか否かが判定される（ステップＳ７４）。
【００７５】
ステップＳ７４において、重送が検知されていない記録紙と判定された場合（ステップＳ７４：ＮＯ）、部におけるページの全てが印刷されたか否かが判定され（ステップＳ７８）、全てのページが印刷されていない場合（ステップＳ７８：ＮＯ）、ステップＳ６２へ戻る。
ステップＳ７８において、全てのページが印刷されている場合（ステップＳ７８：ＹＥＳ）、そのまま通常の後処理が行われて終了する。
【００７６】
ステップＳ７４において、重送が検知された記録紙であると判定された場合（ステップＳ７４：ＹＥＳ）、再印刷設定が確認され（ステップＳ７５）、再印刷を行うかどうかが判定される（ステップＳ７６）。
【００７７】
ステップＳ７６において、再印刷を行うと判定された場合（ステップＳ７６：ＹＥＳ）、排出先トレイ情報を再設定されることで重送された記録紙が所定のトレイへ排出されてから再印刷が指示され（ステップＳ７７）、画像形成処理（ステップＳ７２）へ戻り、重送された記録紙と同じ画像形成処理が再び行われる。ステップＳ７６において、再印刷を行わないと判定された場合（ステップＳ７６：ＮＯ）、ステップＳ７８に示す処理に移行する。
なお、ステップＳ７７における排出先トレイ情報の再設定は、予め設定されている排出トレイとは別のトレイであることが好ましい。
【００７８】
以上のように、画像形成システム１０１は、予め設定することで記録紙の重送時に重送紙を排出してから再印刷して後処理を行う。したがって、画像形成システム１０１は、部単位で印刷して後処理を行う場合においても、重送検知された部を後から後処理し直さなくて良い。
【図面の簡単な説明】
【００７９】
【図１】本発明における画像形成システム１０１の内部構成を示す図である。
【図２】本発明における画像形成システム１０１の記録紙の搬送経路を示す図である。
【図３】（ａ）は、画像形成システム１０１における記録紙の搬送について説明するフローチャートであり、（ｂ）は、画像形成システム１０１における重送検知処理について説明するフローチャートである。
【図４】（ａ）は、第１経路切替部２６ａにおける切替処理について説明するフローチャートであり、（ｂ）は、第２経路切替部２６ｂにおける切替処理について説明するフローチャートである。
【図５】（ａ）は、画像形成システム１０１において重送時の後処理の有無を切替える処理について説明するフローチャートであり、（ｂ）は、画像形成システム１０１において重送時の再印刷処理を説明するフローチャートである。
【図６】画像形成システム１０１において１ページごとに重送を判定して再印刷を行う処理を説明するフローチャートである。
【符号の説明】
【００８０】
１０１  画像形成システム
１  画像形成装置
２  後処理装置
３  通信ケーブル
４  通信ネットワーク
１０  ＣＰＵ
１１  表示部
１２  操作部
１３  ＲＯＭ
１４  ＲＡＭ
１５  重送検知部
１６  画像読み取り部
１７  画像形成部
１７ａ  画像書込部
１７ｂ  定着部
１８  外部Ｉ／Ｆ
１９  バス
２０  ＣＰＵ
２１  ＲＯＭ
２２  ＲＡＭ
２３  入力部
２４  出力部
２５  重送検知部
２６ａ  第１経路切替部
２６ｂ  第２経路切替部
２７  後処理部
２７ａ  パンチ部
２７ｂ  折り部
２７ｃ  ステープル部
２８  外部Ｉ／Ｆ
２９  バス
３１ａ  給紙ユニット
３１ｂ  給紙ユニット
３２ａ  トレイ
３２ｂ  サブトレイ
３３  ペーパインサータ
【図１】
2006021868.tif 000003
【図２】
2006021868.tif 000004
【図３】
2006021868.tif 000005
【図４】
2006021868.tif 000006
【図５】
2006021868.tif 000007
【図６】
2006021868.tif 000008